(57)【要約】【課題】  画像の記録時にブランケット胴を前記版胴から離隔させる場合でも、常に適切にブランケットの洗浄が可能なオフセット印刷機を提供することを目的とする。【解決手段】  ブランケットの洗浄時には、押圧ローラ６２が払拭テープ６５を介して第２のブランケット胴１４の外周部に装着されたブランケットと当接する。このときには、洗浄ユニット位置決めコロおよび押圧ローラ位置決めコロ７３の作用により、押圧ローラ６２のブランケットに対する当接圧は、一定に維持される。【選択図】        図５
2005313366.tif 000002
【特許請求の範囲】
【請求項１】
版胴の外周部に装着された印刷版に画像を記録する画像記録装置と、前記画像記録装置により画像が記録された印刷版にインキを供給した後、この印刷版の画像をブランケット胴の外周部に装着されたブランケットに転写して印刷を行う印刷機構と、画像の記録時に前記ブランケット胴を前記版胴から離隔させる移動機構と、前記ブランケットを洗浄する洗浄機構とを備えるオフセット印刷機において、
前記洗浄機構は、
前記ブランケットに当接して当該ブランケットを払拭する払拭部材と、
前記払拭部材を前記ブランケットの表面に向けて付勢する付勢手段と、
前記払拭部材と前記ブランケットとの当接圧を調整する調整手段と、
を備えたことを特徴とするオフセット印刷機。
【請求項２】
請求項１に記載のオフセット印刷機において、
前記払拭部材は長尺の払拭テープから構成され、
新しい払拭テープを巻き出す巻き出しローラと、払拭に使用された払拭テープを巻き取る巻き取りローラと、前記巻き出しローラから前記巻き取りローラに至る払拭テープの経路における前記払拭テープの裏面側に配設された押圧ローラと、
を備えるオフセット印刷機。
【請求項３】
請求項２に記載のオフセット印刷機において、
前記ブランケット胴付近に配置された軸を中心に揺動可能な揺動アームに軸支され、前記ブランケット胴に形成された当接部に当接する位置と、前記当接部から離隔した位置との間を移動するコロと、
前記揺動アームと同期して揺動する支持アームとを備え、
前記押圧ローラは前記支持アームの先端に軸支されるオフセット印刷機。
【請求項４】
請求項３に記載のオフセット印刷機において、
前記支持アームの揺動動作に伴って、前記巻き出しローラと前記押圧ローラとの間隔が変更されることにより、前記巻き出しローラより間欠的に払拭テープが送り出されるオフセット印刷機。
【発明の詳細な説明】
【技術分野】
【０００１】
この発明は、ブランケットを洗浄する洗浄機構を備えたオフセット印刷機に関する。
【背景技術】
【０００２】
オフセット印刷機においてブランケット胴を洗浄するための洗浄装置としては、その外周部に長尺の払拭テープが巻き付けられた巻き出し軸から払拭テープを巻き出すとともに、この払拭テープを押圧ローラやパッド等により胴の表面に当接させて胴の洗浄を行い、しかる後、洗浄に供されて汚染された払拭テープを巻き取り軸に巻き取る構成のものが知られている。そして、このような洗浄装置においては、巻き取り軸がモータの駆動を受けて間欠的に回転することにより、洗浄に供されて汚染された払拭テープが順次巻き取り軸の外周部に巻き取られる構成となっている。
【０００３】
このような洗浄装置においては、ブランケット胴を洗浄するための払拭テープは、通常、数十メートルの長さを有する。このため、ブランケット胴の洗浄を繰り返し実行することにより巻き取り軸の外周部に多量の払拭テープが巻き取られた時点においては、払拭テープを含む巻き取り軸の直径は最初に払拭テープにより洗浄を行った時点と比べて極めて大きくなっている。このため、巻き取り軸をモータの駆動で正確に一定の角度だけ間欠的に回転させた場合であっても、巻き取り軸に巻き取られる払拭テープの長さは、最初に払拭テープにより洗浄を行った時点と比べて極めて大きくなる。従って、ブランケット胴の洗浄に必要な量以上の払拭テープが消費されてしまうことになる。
【０００４】
このため、特許文献１には、常に一定量の払拭テープを巻き出しあるいは巻き取ることにより、払拭テープの無駄な消費を防止することができるオフセット印刷機のブランケット胴洗浄機構が開示されている。
【特許文献１】特開平１１−１０５２６８号公報
【発明の開示】
【発明が解決しようとする課題】
【０００５】
版胴の外周部に装着された印刷版に画像を記録する画像記録装置と、画像記録装置により画像が記録された印刷版にインキを供給した後、この印刷版の画像をブランケット胴の外周部に装着されたブランケットに転写して印刷を行う印刷機構とを備えたオフセット印刷機においては、印刷時には版胴とブランケット胴とが互いにギヤにより連結した胴入れ状態となり、また、画像記録工程においては、版胴とブランケット胴とのギヤの噛合関係が解かれた状態となる。このため、このようなオフセット印刷機においては、画像の記録時にブランケット胴を版胴から離隔させる移動機構が配設されている。
【０００６】
ところで、このような画像の記録と印刷との両方を実行するオフセット印刷機においては、印刷中にブランケットを洗浄する必要が生ずる場合もあり、また、時間を節約するため、画像記録中にブランケットを洗浄する場合もある。しかしながら、上述したように、移動機構の作用でブランケット胴が移動した場合には、払拭テープによるブランケット胴への当接圧が変化し、ブランケットの洗浄が適切に実行し得ないこととなる。
【０００７】
この発明は上記課題を解決するためになされたものであり、画像の記録時にブランケット胴を前記版胴から離隔させる場合でも、常に適切にブランケットの洗浄が可能なオフセット印刷機を提供することを目的とする。
【課題を解決するための手段】
【０００８】
請求項１に記載の発明は、版胴の外周部に装着された印刷版に画像を記録する画像記録装置と、前記画像記録装置により画像が記録された印刷版にインキを供給した後、この印刷版の画像をブランケット胴の外周部に装着されたブランケットに転写して印刷を行う印刷機構と、画像の記録時に前記ブランケット胴を前記版胴から離隔させる移動機構と、前記ブランケットを洗浄する洗浄機構とを備えるオフセット印刷機において、前記洗浄機構は、前記ブランケットに当接して当該ブランケットを払拭する払拭部材と、前記払拭部材を前記ブランケットの表面に向けて付勢する付勢手段と、前記払拭部材と前記ブランケットとの当接圧を調整する調整手段とを備えたことを特徴とする。
【０００９】
請求項２に記載の発明は、請求項１に記載の発明において、前記払拭部材は長尺の払拭テープから構成され、新しい払拭テープを巻き出す巻き出しローラと、払拭に使用された払拭テープを巻き取る巻き取りローラと、前記巻き出しローラから前記巻き取りローラに至る払拭テープの経路における前記払拭テープの裏面側に配設された押圧ローラと、を備える。
【００１０】
請求項３に記載の発明は、請求項２に記載の発明において、前記ブランケット胴付近に配置された軸を中心に揺動可能な揺動アームに軸支され、前記ブランケット胴に形成された当接部に当接する位置と、前記当接部から離隔した位置との間を移動するコロと、前記揺動アームと同期して揺動する支持アームとを備え、前記押圧ローラは前記支持アームの先端に軸支される。
【００１１】
請求項４に記載の発明は、請求項３に記載の発明において、前記支持アームの揺動動作に伴って、前記巻き出しローラと前記押圧ローラとの間隔が変更されることにより、前記巻き出しローラより間欠的に払拭テープが送り出される。
【発明の効果】
【００１２】
請求項１乃至請求項３に記載の発明によれば、画像の記録時にブランケット胴を前記版胴から離隔させる場合でも、常に適切にブランケットの洗浄が可能となる。
【００１３】
請求項４の発明によれば、簡易な構成により払拭テープを間欠的に送り出すことが可能となる。
【発明を実施するための最良の形態】
【００１４】
以下、この発明の実施の形態について、図面に基づいて説明する。図１は、この発明に係るオフセット印刷機の側面概要図である。
【００１５】
このオフセット印刷機は、第１、第２の版胴１１、１２に各々２枚ずつ装着された印刷版に画像を記録して製版した後、この印刷版に供給されたインキをブランケット胴を介して圧胴１５、１６に保持された印刷用紙に転写することにより印刷を行うものである。
【００１６】
このオフセット印刷機は、第１の版胴１１と、第２の版胴１２と、第１の版胴１１の外周部に装着されるべき印刷版を第１の版胴１１に供給するための印刷版供給装置１００と、第２の版胴１２の外周部に装着されるべき印刷版を第２の版胴１２に供給するための印刷版供給装置２００と、第１の版胴１１の外周部に装着された使用済みの印刷版を第１の版胴１１より取り外して排版部３０１に排出するための印刷版排出装置３００と、第２の版胴１２の外周部に装着された使用済みの印刷版を第２の版胴１２より取り外して排版部４０１に排出するための印刷版排出装置４００と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴と、給紙部３１から供給された印刷用紙を第１の圧胴１５に渡すための給紙胴１７と、第１の圧胴１５から受け取った印刷用紙を第２の圧胴に渡すための渡し胴１８と、第２の圧胴１６に隣接して配置された排紙胴１９とを備える。
【００１７】
第１のブランケット胴１３と当接可能に設けられた第１の圧胴１５は、第１の版胴１１および第１のブランケット胴１３の直径の１／２の直径を有する。また、第２のブランケット胴１４と当接可能に設けられた圧胴１６は、第２の版胴１２および第２のブランケット胴１４の直径の１／２の直径を有する。なお、第１および第２の圧胴１５、１６は、印刷用紙の先端を保持して搬送するための図示しないグリッパを有する。
【００１８】
また、第１の圧胴１５に隣接して配設された給紙胴１７は、第１の圧胴１５と同一の直径を有する。この給紙胴１７は、給紙部３１から１枚ずつ供給された印刷用紙の先端部を図示しないグリッパにより保持して搬送する。グリッパにより保持された印刷用紙の先端は、給紙胴１７から第１の圧胴１５への印刷用紙の受け渡し時に、第１の圧胴１５のグリッパにより保持される。
【００１９】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２０】
第２の圧胴に隣接して配置された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、グリッパが配設されている。第２の圧胴１６のグリッパにより保持された印刷用紙の先端部は、第２の圧胴１６から排紙胴１９への印刷用紙の受け渡し時に、排紙胴１９のいずれかのグリッパにより保持される。そして、この印刷用紙は、チェーン２３の移動に伴って、排紙部３２上に排出される。
【００２１】
第１、第２の圧胴１５、１６、給紙胴１７、排紙胴１９、第１、第２のブランケット胴１３、１４は、各々その端部に付設されたギヤにより連結されている。さらに、第１のブランケット胴１３と第１の版胴１１、および、第２のブランケット胴１４と第２の版胴１２とは、その端部に付設されたギヤにより各々連結されている。従って、駆動モータの駆動により、これらの第１、第２の版胴１１、１２、第１、第２の圧胴１５、１６、給紙胴１７、排紙胴１９、第１、第２のブランケット胴１３、１４は。互いに同期して回転する。
【００２２】
第１の版胴１１の周囲には、第１の版胴１１の外周部に装着された印刷版に対し、例えばブラック（Ｋ）のインキを供給するためのインキ供給装置２０ａと、第１の版胴１１の外周部に装着された印刷版に対し、例えばマゼンダ（Ｍ）のインキを供給するためのインキ供給装置２０ｂと、印刷版におけるインキ供給装置２０ａによりインキが供給される領域に湿し水を供給するための湿し水供給装置２１ａと、印刷版におけるインキ供給装置２０ｂによりインキが供給される領域に湿し水を供給するための湿し水供給装置２１ｂとが配置されている。また、第２の版胴１２の周囲には、収納部４３に収納された印刷版を第２の版胴１２に供給するための印刷版供給装置２００と、第２の版胴１２の外周部に装着された印刷版に対し、例えばシアン（Ｃ）のインキを供給するためのインキ供給装置２０ｃと、第２の版胴１２の外周部に装着された印刷版に対し、例えばイエロー（Ｙ）のインキを供給するためのインキ供給装置２０ｄと、印刷版におけるインキ供給装置２０ｃによりインキが供給される領域に湿し水を供給するための湿し水供給装置２１ｃと、印刷版におけるインキ供給装置２０ｄによりインキが供給される領域に湿し水を供給するための湿し水供給装置２１ｄとが配置されている。
【００２３】
さらに、第１の版胴１１および第２の版胴１２の周囲には、それぞれ、収納部４１に収納された印刷版を第１の版胴１１の外周部に供給するための印刷版供給装置１００と、収納部４３に収納された印刷版を第２の版胴１２の外周部に供給するための印刷版供給装置２００と、第１の版胴１１の外周部に装着された印刷版に画像を記録するための画像記録装置３５と、第２の版胴１２の外周部に装着された印刷版に画像を記録するための画像記録装置３６と、第１の版胴１１の外周部に装着された使用済みの印刷版Ｐを当該版胴１１より取り外して排版部３０１に排出するための印刷版排出装置３００と、第２の版胴１２の外周部に装着された使用済みの印刷版Ｐを当該版胴１２より取り外して排版部４０１に排出するための印刷版排出装置４００とが配置されている。
【００２４】
また、第１のブランケット胴１３および第２のブランケット胴１４の周囲には、それぞれ、第１のブランケット胴を洗浄するためのブランケット洗浄装置７００と、第２のブランケット胴を洗浄するためのブランケット洗浄装置８００とが配置されている。
【００２５】
図２は、オフセット印刷機の主要な電気的構成を示すブロック図である。
【００２６】
このオフセット印刷機は、装置の制御に必要な動作プログラムが格納されたＲＯＭ９０１と、制御時にデータ等が一時的にストアされるＲＡＭ９０２と、ＣＰＵ９０３とからなる制御部９００を備える。この制御部は９００は、インタフェース９０４を介して、オフセット印刷機の各駆動部を駆動する駆動回路９０５と接続されている。また、この制御部９００は、画像の記録時に第１のブランケット胴１３を第１の版胴１１から離隔させる移動機構９０６と、画像の記録時に第２のブランケット胴１４を第２の版胴１２から離隔させる移動機構９０７ととも接続されている。オフセット印刷機はこの制御部９００により制御され、画像の記録と印刷とを実行する。
【００２７】
次に、上述したブランケット洗浄装置７００、８００の構成について説明する。図３乃至図５は、ブランケット洗浄装置８００の構成を示す側面概要図であり、図６はその正面概要図である。なお、図６は、ブランケット洗浄装置８００の各構成を展開して図となっている。また、ブランケット洗浄装置７００は、ブランケット洗浄装置８００と同様の構成を有することから、詳細な説明を省略する。
【００２８】
このブランケット洗浄装置８００は、一対の支持板５１を備える。各支持板５１には、３個のローラ５２、５３、５４が配設されている。これらのローラ５２、５３、５４は、支軸５５を取り囲む位置に配置されている。また、各支持板５１には、装置本体に固定されたエアシリンダー５６のシリンダロッドの先端５７が連結されている。このため、支持板５１は、エアシリンダー５６の駆動により、支軸５５を中心に揺動する。
【００２９】
この支持板５１に連結された第２支持板５８には、新しい払拭テープ６５を巻き出す巻き出しローラ６１と、ガイドローラ６３と、払拭に使用された払拭テープ６５を巻き取る巻き取りローラ６４とが軸支されている。また、第２支持板５８に対してガイドローラ６３と同軸状に配置された軸６７（図６参照）を中心に揺動可能な支持アーム６６の先端には、押圧ローラ６２が軸支されている。押圧ローラ６２とガイドローラ６３とは、巻き出しローラ６１から巻き取りローラ６４に至る払拭テープ６５の経路における払拭テープ６５の裏面側に配設されることになる。
【００３０】
巻き出しローラ６１は、図示しないブレーキ機構により、一定の制動力を持った状態で回転可能となっている。一方、巻き取りローラ６４には、図示しないモータの駆動により、図３乃至図５に示す時計方向に回転する駆動力が付与されている。また、巻き取りロー＾螺６４は、図示しない一方向クラッチにより、時計方向にのみ回転する構成となっている。そして、巻き取りローラ６４に付与される駆動力は、巻き出しローラ６１に付与される制動力より小さくなっている。このため、払拭テープ６５は、巻き出しローラから巻き取りローラ６４に至る経路において緩みなく展張される。
【００３１】
押圧ローラ６２は、払拭テープ６５を第２のブランケット胴１４の外周部に装着されたブランケットの表面に押圧するためのものであり、例えば、スポンジ製のローラから構成される。この押圧ローラ６２が軸支された支持アーム６６は、上述した軸６７に固定されており、また、この軸６７の一端には、カムフォロワー６８が固定されている。このカムフォロワー６８は、装置本体に固定されたエアシリンダー７１のシリンダロッドの先端部に配設されたカム７２と当接可能となっている。このため、支持アーム６６は、エアシリンダ７１の駆動により揺動する。
【００３２】
支持アーム６６には、押圧ローラ位置決めコロ７３が、押圧ローラ６２と同軸となる位置に回転可能な状態で配設されている。この押圧ローラ位置決めコロ７３は、第２のブランケット胴１４の表面に対して押圧ローラ６２を位置決めするためのものである。また、第２支持板５８には、洗浄ユニット位置決めコロ７４が回転可能な状態で配設されている。この洗浄ユニット位置決めコロ７４は、第２のブランケット胴１４の表面に対して支持板５１および第２支持板５８に指示された各種の洗浄ユニットを位置決めするためのものである。
【００３３】
図７は、押圧ローラ位置決めコロ７３と洗浄ユニット位置決めコロ７４とが第２のブランケット胴１４と当接する状態を示す説明図である。
【００３４】
第２のブランケット胴１４には凹部が形成されており、この凹部の底面は、押圧ローラ位置決めコロ７３と洗浄ユニット位置決めコロ７４とが当接する当接部１４ａとなっている。すなわち、支持アーム６６が揺動したときに、押圧ローラ位置決めコロ７３はこの当接部１４ａと当接して位置決めされる。また、第２支持板５８が支持板５１とともに揺動したときに、洗浄ユニット位置決めコロ７４はこの当接部１４ａと当接して位置決めされる。
【００３５】
なお、第２のブランケット胴１４は、図２に示す移動機構９０７の駆動を受け、図３乃至図５において実線Ａで示す位置と仮想線Ｂで示す位置との間を往復移動する。これらのうち、実線Ａで示す位置は、画像の記録時において第２のブランケット胴１４が第２の版胴１２から離隔した位置である。また、仮想線Ｂで示す位置は、印刷時において第２のブランケット胴１４におけるギヤと第２の版胴１２におけるギヤとが噛合する位置である。また、図示は省略したが、第１のブランケット胴１３も同様に、図２に示す移動機構９０６の駆動を受け、画像の記録時において第１のブランケット胴１３が第１の版胴１１から離隔する位置と、印刷時において第１のブランケット胴１３におけるギヤと第１の版胴１１におけるギヤとが噛合する位置との間を往復移動する。
【００３６】
図３乃至図６に図示されているように、第２のブランケット胴１４には胴空き部１４ｂが形成されている。この胴空き部１４ｂは、第２のブランケット胴１４の外周部に装着されるブランケットの端縁を固定するために使用される。上述したように、この実施形態に係るオフセット印刷機においては、第１、第２の版胴１１、１２に各々２枚ずつ印刷版を装着する構成であることから、第１、第２のブランケット胴１３、１４にも、各々２枚ずつブランケットが装着される。このため、第２のブランケット胴１４には、胴空き部１４ｂが２個、互いに１８０度離隔した角度位置に形成されている。
【００３７】
図３乃至図６に示すように、このブランケット洗浄装置８００は、洗浄液を吐出する洗浄液吐出ノズル８１と、エアを噴出するエア噴出ノズル８２とを備える。
【００３８】
図８は、洗浄液吐出ノズル８１およびエア噴出ノズル８２付近を拡大して示す側面概要図である。
【００３９】
エア噴出ノズル８２は、第２のブランケット胴１４の軸線と平行な方向に延びる筒状の形状を有する。このエア噴出ノズル８２は、図８において矢印Ｄで示すように、第２のブランケット胴１４の外周部に装着されたブランケットに向けてエアを噴出するためのものであり、第２のブランケット胴１４の外周部に装着されたブランケットに向けてエアを噴出するための多数のエア噴出口を有する。
【００４０】
一方、洗浄液吐出ノズル８１は、第２のブランケット胴１４の軸線と平行な方向に延びる筒状の形状を有する。この洗浄液吐出ノズル８１は、図８において矢印Ｃで示すように、払拭テープ６５を介して第２のブランケット胴１４の外周部に装着されたブランケットに洗浄液を供給するためのものであり、下方に向けて洗浄液を吐出するための多数の洗浄液吐出口を有する。
【００４１】
この洗浄液吐出ノズル８１は、エア噴出ノズル８２から噴出されたエアが第２のブランケット胴１４の外周部に装着されたブランケットに到達するまでの、エア噴出ノズル８２とブランケットとの間に配置されている。このため、エア噴出ノズル８１からエアが噴出された場合、このエアは、洗浄液吐出ノズル８１に吹き付けられた後、第２のブランケット胴１４の外周部に装着されたブランケットに到達する。
【００４２】
なお、この実施形態では、洗浄液吐出ノズル８１から吐出される洗浄液は、払拭テープ６５を介して間接的にブランケットに供給されるが、洗浄液吐出ノズル８１からブランケットに対して直接的に吐出されるようにしてもよい。次に、上述したブランケット洗浄装置８００により第２のブランケット胴１４の外周部に装着されたブランケットを洗浄する洗浄動作について説明する。なお、以下の説明においては、図３乃至図５において実線Ａで示すように、画像の記録時において第２のブランケット胴１４が第２の版胴１２から離隔した位置に配置された状態でブランケットを洗浄する場合について説明するが、図３乃至図５において仮想線Ｂで示すように、印刷時において第２のブランケット胴１４におけるギヤと第２の版胴１２におけるギヤとが噛合する状態でブランケットを洗浄する場合も同様である。
【００４３】
ブランケットを洗浄する前の状態においては、図３に示すように、エアシリンダ５６のシリンダロッドは縮んだ状態となっている。この状態においては、ブランケット洗浄装置８００全体が第２のブランケット胴１４から離隔した退避位置に配置される。
【００４４】
ブランケットの洗浄を開始するときには、この状態から、エアシリンダ５６のシリンダロッドを延長させる。これにより、支持板５１および第２支持板５８が、図３および図４に示す反時計方向に回動する。そして、支持板５１および第２支持板５８は、図４に示すように、第２支持板５８に配設された洗浄ユニット位置決めコロ７４が、第２のブランケット胴１４に形成された当接部１４ａと当接した位置で位置決めされて停止する。
【００４５】
次に、エアシリンダ７１のシリンダロッドを延長させる。これにより、カムフォロワー６８がエアシリンダー７１のシリンダロッドの先端部に配設されたカム７２により押圧され、軸６７が図４および図５に示す時計方向に回転する。この軸６７の回転に伴って、支持アーム６６が軸６７を中心に図４および図５に示す時計方向に揺動する。そして、支持アーム６６は、図５に示すように、支持アーム６６に配設された押圧ローラ位置決めコロ７３が、第２のブランケット胴１４に形成された当接部１４ａと当接した位置で位置決めされて停止する。
【００４６】
この状態においては、押圧ローラ６２が払拭テープ６５を介して第２のブランケット胴１４の外周部に装着されたブランケットと当接する。このときには、洗浄ユニット位置決めコロ７４および押圧ローラ位置決めコロ７３の作用により、押圧ローラ６２のブランケットに対する当接圧は、一定に維持される。この作用は、第２のブランケット胴１４が実線Ａで示す位置に配置された場合でも仮想線Ｂで示す位置に配置された場合でも同様である。
【００４７】
押圧ローラ６２が払拭テープ６５を介して第２のブランケット胴１４の外周部に装着されたブランケットと一定の圧力で当接すれば、払拭テープ６５を利用してブランケットを洗浄する。この場合、先ず、洗浄液吐出ノズル８１から払拭テープ６５に向けて洗浄液を吐出する。そして、第２のブランケット胴１４を回転させることにより、ブランケットの表面を洗浄液が吐出された払拭テープ６５により払拭する。
【００４８】
第２のブランケット胴１４が所定の角度回転すれば、図４に示すように、エアシリンダ７１を駆動してカム７２をカムフォロワー６８から離隔させる。これにより、押圧ローラ６２が揺動し、払拭テープ６５が第２のブランケット胴１４の表面に装着されたブランケットから離隔する。このときには、巻き出しローラ６１と押圧ローラ６２との間隔が小さくなる。このため、払拭テープ６５の余長分は巻き取りローラ６４により巻き取られる。
【００４９】
そして、再度、エアシリンダ７１を駆動してカム７２によりカムフォロワー６８を押圧する。これにより、押圧ローラ６２が揺動し、再度、押圧ローラ６２が払拭テープ６５を介して第２のブランケット胴１４の外周部に装着されたブランケットと当接する。このときには、巻き出しローラ６１と押圧ローラ６２との間隔が大きくなる。このため、巻き出しローラ６１が回転し、一定の長さの払拭テープ６５が巻き出される。
【００５０】
以上の動作を複数回繰り返すことにより、洗浄液が吐出された払拭テープ６５によりブランケットを払拭してその洗浄が完了すれば、次にブランケットを乾燥する。このブランケットの乾燥は、次のような工程により実行される。
【００５１】
先ず、洗浄液吐出ノズル８１の吐出口付近に残存する洗浄液を除去する。このような洗浄液がブランケットの乾燥工程においてブランケットや払拭テープ６５等に滴下すると、ブランケットの乾燥を適切に実行し得ないためである。この場合には、図８に示すように、第２のブランケット胴１４の胴空き部１４ｂが洗浄液吐出ノズル８１と対向する位置に配置された状態となったとき、エア噴出ノズル８２から洗浄液吐出ノズル８１および第２のブランケット胴１４の外周部に装着されたブランケットに向けてエアを噴出するのが好ましい。これにより、洗浄液吐出ノズル８１の吐出口付近に残存する洗浄液は、第２のブランケット胴１４の外周部でありながらブランケットが存在しない胴空き部１４ｂに向けて吹き飛ばされる。
【００５２】
続いて、エア噴出ノズル８２からエアの噴出を継続させた状態で、第２のブランケット胴１４を回転させる。これにより、ブランケット上の洗浄液は払拭テープ６５により払拭されるとともに、ブランケットがエア噴出ノズル８２からのエアにより乾燥される。なお、第２のブランケット胴１４の回転中に、押圧ローラ６２を図４に示す位置と図５に示す位置の間で複数回揺動させることにより、ブランケットが常に新しい払拭テープ６５により払拭されるようにする。
【００５３】
このような状態で第２のブランケット胴１４を５〜１０回転程度回転させ、ブランケットの乾燥が完了すれば、ブランケット洗浄装置８００を図３に示す位置に復帰させてブランケットの洗浄処理を終了する。
【図面の簡単な説明】
【００５４】
【図１】この発明に係るオフセット印刷機の側面概要図である。
【図２】オフセット印刷機の主要な電気的構成を示すブロック図である。
【図３】ブランケット洗浄装置８００の構成を示す側面概要図である。
【図４】ブランケット洗浄装置８００の構成を示す側面概要図である。
【図５】ブランケット洗浄装置８００の構成を示す側面概要図である。
【図６】ブランケット洗浄装置８００の構成を示す正面概要図である。
【図７】押圧ローラ位置決めコロ７３と洗浄ユニット位置決めコロ７４とが第２のブランケット胴１４と当接する状態を示す説明図である。
【図８】洗浄液吐出ノズル８１およびエア噴出ノズル８２付近を拡大して示す側面概要図である。
【符号の説明】
【００５５】
１１      第１の版胴
１２      第２の版胴
１３      第１のブランケット胴
１４      第２のブランケット胴
１４ａ    当接部
１４ｂ    胴空き部
１５      第１の圧胴
１６      第２の圧胴
１７      給紙胴
１８      渡し胴
１９      排紙胴
２０      インキ供給装置
２１      湿し水供給装置
２３      チェーン
３１      給紙部
３２      排紙部
３５      画像記録装置
３６      画像記録装置
５１      支持板
５２      ローラ
５３      ローラ
５４      ローラ
５５      支軸
５６      エアシリンダー
５８      第２支持板
６１      巻き出しローラ
６２      押圧ローラ
６３      ガイドローラ
６４      巻き取りローラ
６５      払拭テープ
６６      支持アーム
６７      軸
７１      エアシリンダー
７３      押圧ローラ位置決めコロ
７４      洗浄ユニット位置決めコロ
８１      洗浄液吐出ノズル
８２      エア噴出ノズル
１００    印刷版供給装置
２００    印刷版供給装置
３００    印刷版排出装置
４００    印刷版排出装置
７００    ブランケット洗浄装置
８００    ブランケット洗浄装置
９００    制御部
９０６    移動機構
９０７    移動機構
【図１】
2005313366.tif 000003
【図２】
2005313366.tif 000004
【図３】
2005313366.tif 000005
【図４】
2005313366.tif 000006
【図５】
2005313366.tif 000007
【図６】
2005313366.tif 000008
【図７】
2005313366.tif 000009
【図８】
2005313366.tif 000010